(57)【要約】【課題】本発明は、中央制御装置と、前記中央制御装置から所定の配線経路に沿って、順次に連結され、前記中央制御装置と通信する複数の端末装置を含むネットワークシステム及びその正式アドレス割当て方法に関する。【解決手段】本発明によるネットワークシステムの正式アドレス割当て方法は、各々の前記端末装置が前記配線経路に沿って順次に前記中央制御装置に接続する段階と、前記中央制御装置で、接続される前記端末装置に前記正式アドレスを順次に割当てる段階を含むことを特徴とする。これにより、正式アドレスを自動的に設定して、設定された正式アドレスを作業者が容易に推測できるようにする。【選択図】図４
2006109487.tif 000002
【特許請求の範囲】
【請求項１】
中央制御装置と、前記中央制御装置から所定の配線経路に沿って順次に連結されて、前記中央制御装置と通信する複数の端末装置を含むネットワークシステムの正式アドレス割当て方法において、
各々の前記端末装置が前記配線経路に沿って、順次に前記中央制御装置に接続する段階と、
前記中央制御装置で、接続される前記端末装置に前記正式アドレスを順次に割当てる段階と、
を含むことを特徴とする正式アドレス割当て方法。
【請求項２】
前記中央制御装置で前記中央制御装置に連結された前記端末装置の正式アドレス情報を有するルーティングテーブルが存在するか否かを判断する段階と、
前記ルーティングテーブルが存在しない場合、前記端末装置に前記正式アドレスを順次に割当てる段階とをさらに含むことを特徴とする請求項１に記載の正式アドレス割当て方法。
【請求項３】
前記正式アドレスを順次に割当てる段階は、
前記ルーティングテーブルが存在しない場合、順次に前記中央制御装置に接続される前記端末装置が各々臨時アドレスを有するか否かを判断する段階と、
前記端末装置が前記臨時アドレスを有する場合、前記配線経路に位置した順次に該当する前記正式アドレスを前記端末装置に割当てる段階とを含むことを特徴とする請求項２に記載の正式アドレス割当て方法。
【請求項４】
前記正式アドレスを順次に割当てる段階は、
前記ルーティングテーブルが存在しない場合、前記中央制御装置で前記端末装置から前記正式アドレス設定の要求があるか否かを判断する段階と、
前記端末装置から前記正式アドレス設定の要求がある場合、前記中央制御装置が前記配線経路に位置した順次に、該当する前記正式アドレスを前記端末装置に割当てる段階とを含むことを特徴とする請求項２に記載の正式アドレス割当て方法。
【請求項５】
前記ルーティングテーブルが存在する場合、前記中央制御装置で前記ルーティングテーブルの前記端末装置の正式アドレス情報に基づいて、前記端末装置との通信を確認する段階と、
前記中央制御装置で前記端末装置との通信が異常であると判断した場合、前記端末装置が前記臨時アドレスを有するかを判断する段階と、
前記端末装置が前記臨時アドレスを有する場合、既に割当てられた前記正式アドレスの次の正式アドレスを前記端末装置に割当てる段階と、
前記端末装置に割当てられた前記正式アドレスに基づいて、前記ルーティングテーブルのポインタを更新する段階とを含むことを特徴とする請求項２に記載の正式アドレス割当て方法。
【請求項６】
前記端末装置との通信が異常である場合、前記端末装置が前記臨時アドレスを有するか否かを判断する段階で、前記端末装置が前記臨時アドレスを有しない場合、前記中央制御装置で前記端末装置の除去、または電源の遮断として認識する段階と、
前記電源が遮断された端末装置をチェックして、前記ルーティングテーブルを更新する段階とを含むことを特徴とする請求項５に記載の正式アドレス割当て方法。
【請求項７】
前記ルーティングテーブルが存在する場合、前記中央制御装置で前記ルーティングテーブルの前記端末装置の正式アドレス情報に基づいて、前記端末装置との通信を確認する段階と、
前記中央制御装置で前記端末装置との通信が異常であると判断した場合、前記中央制御装置で前記端末装置から前記正式アドレス設定の要求があるか否かを判断する段階と、
前記端末装置から前記正式アドレス設定の要求がある場合、前記中央制御装置が既に割当てられた前記正式アドレスの次の正式アドレスを前記端末装置に割当てる段階と、
前記端末装置に割当てられた前記正式アドレスに基づいて、前記ルーティングテーブルのポインタを更新する段階とを含むことを特徴とする請求項２に記載の正式アドレス割当て方法。
【請求項８】
前記端末装置との通信が異常である場合、前記中央制御装置で前記端末装置から前記正式アドレス設定の要求がない場合、前記中央制御装置で前記端末装置の除去、または電源の遮断として認識する段階と、
前記電源が遮断された端末装置をチェックして、前記ルーティングテーブルを更新する段階とを含むことを特徴とする請求項７に記載の正式アドレス割当て方法。
【請求項９】
前記端末装置が自ら前記臨時アドレスを有する場合、前記中央制御装置で前記正式アドレス設定の要求を行う段階を含むことを特徴とする請求項４または請求項７に記載の正式アドレス割当て方法。
【請求項１０】
前記端末装置が前記臨時アドレスを有しない場合、前記配線経路上に位置した後、前記端末装置と前記中央制御装置を接続させる段階を含むことを特徴とする請求項３に記載の正式アドレス割当て方法。
【請求項１１】
中央制御装置と、前記中央制御装置から所定の配線経路に沿って、順次に連結され、前記中央制御装置と通信する複数の端末装置を含むネットワークシステムにおいて、
前記端末装置は、前記中央制御装置及び前記配線経路上に位置した後、前記端末装置と各々接続するための複数の通信接続部と、前記中央制御装置と前記配線経路上に位置した後、前記端末装置中、何れか一つと接続するために前記通信接続部の接続経路を変更するインターフェース部と、自分のアドレスが臨時アドレスなのかを判断して、前記臨時アドレスである場合、前記中央制御装置と接続されるようにし、前記臨時アドレスでない場合、前記配線経路上の次の前記端末装置と接続されるように前記インターフェース部を制御する制御部を有し、
前記中央制御装置は、前記通信接続部を通して接続される前記端末装置に、正式アドレスを順次に割当てることを特徴とするネットワークシステム。
【請求項１２】
前記通信接続部を通し、前記端末装置が前記配線経路に沿って追加で接続される場合、前記中央制御装置は、前記端末装置に既に割当てられた前記正式アドレスの次の正式アドレスを割当てることを特徴とする請求項１１に記載のネットワークシステム。
【発明の詳細な説明】
【技術分野】
【０００１】
本発明は、ネットワークシステム及びその正式アドレス割当て方法に関し、より詳細には、正式アドレスを自動的に設定して、設定された正式アドレスを作業者が容易に推測できるように構成されたネットワークシステム及びその正式アドレス割当て方法に関する。
【背景技術】
【０００２】
一般にビル設備監視システムのようなネットワークシステムは、中央制御装置と、中央制御装置の制御を受ける複数の端末装置を含む。
【０００３】
図１は一般のビル設備監視システムの構成図である。
【０００４】
図１に図示されたように、一般のビル設備監視システムは、システム全体を制御する中央制御装置である室外機１００と、正式アドレス１０２を有して室外機１００の制御を受ける複数の室内機１０４を含む。ここで、複数の室内機１０４は室外機１００から所定の配線１０５経路に沿って、順次に連結されている。
【０００５】
図１に図示された各正式アドレス１０２は、作業者により、ディップスイッチ（DIP-SW）等で各室内機１０４に直接設定されることもでき、自動設定されることもできる。
【０００６】
図２は自動で正式アドレス１０２を設定するためのフローチャートである。参考として、図２はマスター（master）−スレーブ（slave）方式のネットワークシステムを示した図である。
【０００７】
図２に図示されたように、正式アドレス１０２を割当てるために、マスターである室外機１００が室内機１０４に応答を要請すると、スレーブである室内機１０４は自分の正式アドレス１０２を自動的に割当てられるために、自分のマックアドレス（ＭＡＣ  ａｄｄｒｅｓｓ）や、自ら作った乱数を利用して、応答遅延時間（waiting time）を形成する（１１０）。この応答遅延時間の後に、室内機１０４はマスターである室外機１００に応答を試みる。室内機１０４から応答を受けた室外機１００は、最も速い時間に答えた、即ち応答遅延時間が最も短い室内機１０４から順次に正式アドレス１０２を割当てる（１１２）。これによって、室内機１０４は正式アドレス１０２を確定する（１１４）。
【０００８】
図３は重複が発生する時に、正式アドレス１０２を割当てるためのフローチャートである。
【０００９】
図３に図示されたように、室内機１０４は、まず自分の臨時アドレスを設定する（１１６）。そして、自ら作った乱数による遅延時間の後に、室内機１０４はマスターである室外機１００に応答を試みる（１１８）。室外機１００は重複するアドレスがあるかを確認する。重複が発生すると判断する場合、室内機１０４にこれを通知する。そうすると、室内機１０４は臨時アドレスを再び設定して、室外機１００に答える（１２０）。室外器は重複が発生しない場合、再設定した臨時アドレスを正式アドレス１０２として確定し、室内機１０４に割当てる（１２２）。
【００１０】
しかし、このような従来の正式アドレス１０２の設定方法は、次のような問題点がある。
【００１１】
ディップスイッチなどで各室内機１０４に直接正式アドレス１０２を設定する方法は、室内機１０４が天井と屋根との間など、作業性がよくない位置に存在すると、正式アドレス１０２の設定及び確認が容易ではない。
【００１２】
そして、自動的に正式アドレス１０２を割当てる方法は、作業者が実際にどの室内機１０４に正式アドレス１０２が割当てられたのか分かり難い。
【００１３】
また、正式アドレス１０２の設定の確認が容易にできるように室内機１０４のパネルに設定表示装置を設置することもできるが、この場合、費用が増大する短所がある。
【発明の開示】
【発明が解決しようとする課題】
【００１４】
本発明の目的は、正式アドレスを自動的に設定して、設定された正式アドレスを作業者が容易に推測できるネットワークシステム及びその正式アドレス割当て方法を提供することである。
【課題を解決するための手段】
【００１５】
前記目的は、本発明により、中央制御装置と、前記中央制御装置から所定の配線経路に沿って順次に連結され、前記中央制御装置と通信する複数の端末装置を含むネットワークシステムの正式アドレス割当て方法において、各々の前記端末装置が前記配線経路に沿って、順次に前記中央制御装置に接続する段階と、前記中央制御装置で、接続される前記端末装置に前記正式アドレスを順次に割当てる段階を含むことを特徴とする正式アドレス割当て方法により達成される。
【００１６】
ここで、前記中央制御装置で、前記中央制御装置に連結した前記端末装置の正式アドレス情報を有するルーティングテーブルが存在するかを判断する段階と、前記ルーティングテーブルが存在しない場合、前記端末装置に前記正式アドレスを順次に割当てる段階をさらに含む。
【００１７】
さらに、前記正式アドレスを順次に割当てる段階は、前記ルーティングテーブルが存在しない場合、順次に前記中央制御装置に接続される前記端末装置が各々臨時アドレスを有するかを判断する段階と、前記端末装置が前記臨時アドレスを有する場合、前記配線経路に位置した順次に該当する前記正式アドレスを前記端末装置に割当てる段階を含むことができる。
【００１８】
また、前記正式アドレスを順次に割当てる段階は、前記ルーティングテーブルが存在しない場合、前記中央制御装置で前記端末装置から前記正式アドレス設定の要求があるかを判断する段階と、前記端末装置から前記正式アドレス設定の要求がある場合、前記中央制御装置が前記配線経路に位置した順次に該当てる前記正式アドレスを前記端末装置に割当てる段階を含むこともできる。
【００１９】
前記ルーティングテーブルが存在する場合、前記中央制御装置で前記ルーティングテーブルの前記端末装置の正式アドレス情報に基づいて、前記端末装置との通信を確認する段階と、前記中央制御装置で前記端末装置との通信が異常であると判断する場合、前記端末装置が前記臨時アドレスを有するかを判断する段階と、前記端末装置が前記臨時アドレスを有する場合、既に割当てられた前記正式アドレスの次の正式アドレスを前記端末装置に割当てる段階と、前記端末装置に割当てられた前記正式アドレスに基づいて、前記ルーティングテーブルのポインタを更新する段階を含むことによって、新しく接続された端末装置の正式アドレスを割当てることを可能にする。
【００２０】
そして、前記端末装置との通信が異常である場合、前記端末装置が前記臨時アドレスを有するかを判断する段階で、前記端末装置が前記臨時アドレスを有しない場合、前記中央制御装置での前記端末装置の除去、または電源の遮断として認識する段階と、前記電源が遮断された端末装置をチェックして、前記ルーティングテーブルを更新する段階を含むことが望ましい。
【００２１】
前記ルーティングテーブルが存在する場合、前記中央制御装置で前記ルーティングテーブルの前記端末装置の正式アドレス情報に基づいて、前記端末装置との通信を確認する段階と、前記中央制御装置で前記端末装置との通信が異常であると判断する場合、前記中央制御装置で前記端末装置から前記正式アドレス設定の要求があるかを判断する段階と、前記端末装置から前記正式アドレス設定の要求がある場合、前記中央制御装置が既に割当てられた前記正式アドレスの次の正式アドレスを前記端末装置に割当てる段階と、前記端末装置に割当てられた前記正式アドレスに基づいて、前記ルーティングテーブルのポインタを更新する段階を含むこともできる。
【００２２】
前記端末装置との通信が異常である場合、前記中央制御装置で前記端末装置から前記正式アドレス設定の要求がない場合、前記中央制御装置での前記端末装置の除去、または電源の遮断として認識する段階と、前記電源が遮断された端末装置をチェックして、前記ルーティングテーブルを更新する段階を含むことが望ましい。
【００２３】
前記端末装置は、自ら前記臨時アドレスを有する場合、前記中央制御装置で前記正式アドレス設定の要求を行う段階を含む。
【００２４】
前記端末装置が前記臨時アドレスを有しない場合、前記配線経路上に位置した後、前記端末装置と前記中央制御装置が接続されるようにする段階を含むことが望ましい。
【００２５】
一方、前記目的は、本発明の他の分野によると、中央制御装置と、前記中央制御装置から所定の配線経路に沿って、順次に連結されて前記中央制御装置と通信する複数の端末装置を含むネットワークシステムにおいて、前記端末装置は、前記中央制御装置及び前記配線経路上に位置した後、前記端末装置と各々接続するための複数の通信接続部と、前記中央制御装置と前記配線経路上に位置した後、前記端末装置中何れか一つと接続するために、前記通信接続部の接続経路を変更するインターフェース部と、自分のアドレスが臨時アドレスかを判断して、前記の臨時アドレスである場合、前記中央制御装置と接続されるようにし、前記の臨時アドレスでない場合、前記配線経路上の次の前記端末装置と接続されるように前記インターフェース部を制御する制御部を有する。前記中央制御装置は、前記通信接続部を通して接続される前記端末装置に正式アドレスを順次に割当てることを特徴とするネットワークシステムによっても達成することができる。
【００２６】
前記通信接続部を通して前記端末装置が前記配線経路に沿って追加接続される場合、前記中央制御装置は、前記端末装置に既に割当てられた前記正式アドレスの次の正式アドレスを割当てることが可能である。
【発明の効果】
【００２７】
本発明によると、正式アドレスを自動的に設定して、設定された正式アドレスを作業者が容易に推測できるネットワークシステム及びその正式アドレス割当て方法を提供する効果がある。
【発明を実施するための最良の形態】
【００２８】
以下では添付図を参照して、本発明について詳細に説明する。
【００２９】
図４は、本発明によるネットワークシステムの構成図である。図示されたように、本ネットワークシステムは、システム全体を制御する中央制御装置である室外機１０と、室外機１０から所定の配線１５経路に沿って、順次に連結され、室外機１０の制御を受ける複数の端末装置である複数の室内機１４を含む。
【００３０】
室内機１４は、室外機１０から正式アドレス１２を割当てられるが、各室内機１４に割当てられる正式アドレス１２は配線１５経路に沿って、順次に増加する。
【００３１】
図４に図示されたネットワークシステムは、正式アドレス１２が０の室外機１０から配線１５経路に沿って、各室内機１４の正式アドレス１２が１、２、３、４、５、６に割当てられた例を示す。
【００３２】
図５は、本発明によるネットワークシステムにおいて、室外機１０と各室内機１４の内部構成及び室外機１０と各室内機１４の接続図を簡略に示した図である。
【００３３】
室外機１０は、室内機１４に通信接続するための通信接続部１９と、ルーティングテーブル（routing  table）が貯蔵されるメモリーであるEEPROM１７（Electrical  Erasable  Programmable  Read  Only  Memory）と、内部信号を処理するための制御ロジック回路１８と、室外機１０を総括的に制御するCPU１６を含む。また、室外機１０には室外機１０自らの正式アドレス１２を作業者が直接設定するためのディップスイッチ１１が形成される。
【００３４】
マスター−スレーブ方式のネットワークシステムで、室外機１０のCPU１６は、室外機１０に形成された操作入力手段（図示せず）からの操作入力、または室外機１０の初期電源が印加される場合に、EEPROM１７にルーティングテーブルが貯蔵されているかを判断する。
【００３５】
ルーティングテーブルが存在することは、室外機１０に接続された室内機１４の正式アドレス１２が割当てられた場合を意味し、ルーティングテーブルが存在しないことは室外機１０に接続された室内機１４の正式アドレス１２が割当てられていない初期状態を意味する。
【００３６】
参考として、室内機１４は正式アドレス１２が割当てられていない状態では臨時アドレスを有する。
【００３７】
CPU１６は、ルーティングテーブルが存在しない場合、臨時アドレスを有する室内機１４が存在するかを判断する。CPU１６は臨時アドレスを有する室内機１４が存在する度に室内機１４に正式アドレスを割当てる。
【００３８】
一方、CPU１６は、ルーティングテーブルが存在する場合、ルーティングテーブルにより室内機１４との通信を確認して、正式アドレス１２を確認する。ルーティングテーブルには配線１５経路による各室内機１４別に正式アドレス１２に対する情報が貯蔵されている。
【００３９】
ここで、ルーティングテーブルによる室内機１４との通信を確認することにおいて、室外機１０が配線１５経路に沿って順次に接続される各室内機１４側の正式アドレス１２を確認するため、各正式アドレス１２に確認要請信号を送り、室内機１４から応答信号を受信すると正常であると判断する。
【００４０】
CPU１６の通信確認結果が異常である場合、即ち室内機１４から応答信号が受信されていない場合、新しい臨時アドレスを有する室内機１４の接続、または接続された室内機１４の除去、または接続された室内機１４の電源の遮断の中の何れか一つであると認識する。
【００４１】
この時、CPU１６は、室内機１４との通信を通して、新しい臨時アドレスを有する室内機１４が接続されたと判断すると、接続された室内機１４に正式アドレス１２を割当てる。この時、割当てる正式アドレス１２は、既に割当てられた正式アドレス１２の次の順番に該当する正式アドレス１２であることが望ましい。
【００４２】
一方、室内機１４の正式アドレス１２割当ての過程は、イベント方式のネットワークシステムにも適用することが可能であり、イベント方式のネットワークシステムで室外機１０のCPU１６は、室内機１４からのアドレス設定の要求などがある時に室内機１４の正式アドレス１２割当て動作を遂行する。
【００４３】
各々の室内機１４は、室外機１０または配線１５経路上の前端の室内機１４と通信接続したり、配線１５経路上の後端の室内機１４と通信接続するための着脱可能なコネクターで形成される通信接続部３０と、アドレス情報（臨時アドレスや正式アドレス）１２が貯蔵されるメモリーであるEEPROM２２（Electrical  Erasable  Programmable  Read  Only  Memory）と、内部信号を処理するための制御ロジック回路２８と、室内機１４の状態などを示すためのLED（Light  Emitting  Diode）、またはLCD（Liquid  Crystal  Display）２４と、通信接続部３０の間の接続経路を変更するためのインターフェース回路２６と、外部のリモコン（図示せず）や室外機１０からの指令により所定の制御を遂行するCPU２０を含む。
【００４４】
マスター−スレーブ方式のネットワークシステムにおいて、CPU２０は、初期電源が印加されると、自分のアドレスが臨時アドレスなのかを判断する。臨時アドレスである場合、インターフェース回路２６を制御して、室外機１０側の通信接続部１９に接続させて室外機１０から正式アドレス１２を割当てられる。一方、臨時アドレスでない場合、インターフェース回路２６を制御して、次の室内機１４を室外機１０に接続させる。
【００４５】
一方、イベント方式のネットワークシステムにおいて、CPU２０は、室内機１４の初期電源の印加時、自分のアドレスが臨時アドレスである場合、室外機１０に正式アドレス１２の設定を要求し、設定された正式アドレス１２を受信してEEPROM２２に貯蔵する。貯蔵された後には、次の室内機１４が室外機１０に接続されるようにインターフェース回路２６を制御する。
【００４６】
インターフェース回路２６については図６及び図７を参照して、具体的に説明する。
【００４７】
図６に図示されたインターフェース回路２６は、機械式リレー３２を使用したインターフェース回路２６として、HBS（Home  Bus  System）等のCSMA（Carrier  Sensing  Multiple  Access／Collision  Detection）方式を採用するインターフェースに適している。
【００４８】
図６に図示されたインターフェース回路２６を有する室内機１４を室内機１４（１）として、室内機１４（１）の左側に室外機１０が連結され、右側に室内機１４（２）が連結されると仮定しよう。
【００４９】
室内機１４（１）が室外機１０に接続される時、CPU２０は制御信号Fを制御して、接点３２bでスイッチングする。
【００５０】
そして、室外機１０からデータを受信する場合、CPU２０は制御信号Sを制御する。制御信号Sにより動作する３−状態バッファー３５は、S=１の場合、３−状態バッファー３５に入力される信号を出力させるため、CPU２０は論理信号S=１を出力して、３−状態バッファー３５が信号ライン３３aを通して入力されるデータを信号ライン３３dを通して出力させるようにする。これによって、室内機１４（１）が室外機１０からデータを受信できるようになる。
【００５１】
また、室内機１４（１）のCPU２０から出力される送信データ（Txdata）は、バッファー４５を通して、信号ライン３３g、３３fに出力されて、３−状態バッファー３７に入力される。
【００５２】
この時、CPU２０は、制御信号Gを制御して、３−状態バッファー３７に入力される送信データが信号ライン３３aを通して、室外機１０に出力されるようにする。
【００５３】
そのため、室内機１４（１）は、室外機１０とデータを送受信することが可能であり、室外機１０から正式アドレス１２を割当てられる。
【００５４】
一方、室内機１４（１）のCPU２０は、室外機１０から正式アドレス１２を割当てられると判断すると、制御信号Fを制御して、リレー３２の接点が３２bから３２aにスイチングされるようにする。
【００５５】
リレー３２の接点が制御信号Fにより、３２bから３２aにスイチングされると、信号ライン３３a、３３cが連結され、一対の通信接続部３０が直接連結される。これに、室内機１４（１）の信号ライン３３aに連結された通信接続部３０に接続された室外機１０と、室内機１４（１）の信号ライン３３cに連結された通信接続部３０に接続された室内機１４２が接続される。
【００５６】
従って、このような動作により、複数の室内機１４が各々配線１５経路に沿って順次に室外機１０に接続される。
【００５７】
一方、インターフェース回路２６に設けられた３−状態バッファー３９、４１及びインバータ４３は、室内機１４（１）が信号ライン３３cに連結した通信接続部３０に接続される室内機１４（２）と通信するためのものである。
【００５８】
即ち、室内機１４（１）が室外機１０と通信しないで、隣接した配線１５経路上に位置した室内機１４（２）と通信する場合、室内機１４（１）のCPU２０は制御信号Fを制御して、リレー３２が接点３２bにスイッチングされるようにして、制御信号S=０を印加して、室内機１４（２）から信号ライン３３c、３３eを通して入力されるデータが３−状態バッファー３９を通して受信されるようにする。一方、CPU２０はG=１を印加して、信号ライン３３gを通してCPU２０から出力されるデータが３−状態バッファー４１を通して、信号ライン３３e、３３cに出力されるようにする。
【００５９】
図７に図示されたインターフェース回路２６を説明する前に、図７に図示されたインターフェース回路２６を有する室内機１４を室内機１４（１）として、室内機１４（１）の左側に室外機１０が連結され、右側に室内機１４（２）が連結されると仮定しよう。
【００６０】
室内機１４（１）が室外機１０に接続されて、データを送受信するために、室内機１４（１）のCPU２０は制御論理信号F=０、S=１、G=１を印加する。
【００６１】
そうすると、S信号とF信号を入力とするオアゲート（OR  gate）５０は１を出力して、３−状態バッファー５６に印加することによって、３−状態バッファー５６をイネーブル（enable）させる。
【００６２】
そして、オアゲート５４は、F信号及びインバータ５２によりインバーティングされたS信号を受信して、３−状態バッファー６０に０を出力して、３−状態バッファー６０をディスエーブル（disable）させる。
【００６３】
一方、Vccを受信する３−状態バッファー５８、６２は常にイネーブルとなり、オアゲート６４は、F信号とインバータ６６によりインバーティングになったG信号を受信して０を出力し、３−状態バッファー６８、７０に印加することによって、３−状態バッファー６８、７０をディスエーブルさせる。
【００６４】
また、G信号を受信する３−状態バッファー７４、７６はイネーブルとなる。
【００６５】
従って、室外機１０から入力されるデータは、信号ライン５１a、５１bを通してオアゲート７２に入力される。また、オアゲート７２の他の入力端には信号ライン７３aを通してロー（low）信号が入力される。従って、最終的にCPU２０に受信されるデータは、信号ライン５１bを通して入力される室外機１０からのデータとなる。
【００６６】
また、室内機１４（１）のCPU２０から出力される送信データ（Txdata）は、信号ライン５１c、５１aを通して室外機１０に出力される。
【００６７】
これにより、室内機１４（１）は室外機１０から正式アドレス１２を割当てられることができる。
【００６８】
室内機１４（１）が室外機１０から正式アドレス１２を割当てられた後、室内機１４（１）のCPU２０は制御論理信号F=１、S=０又は１、G=０を印加する。
【００６９】
そうすると、S信号とF信号を入力とするオアゲート（OR  gate）５０は、１を出力して、３−状態バッファー５６に印加することによって、３−状態バッファー５６をイネーブルさせる。
【００７０】
そして、オアゲート５４は、F信号及びインバータ５２によりインバーティングされたS信号を受信して、３−状態バッファー６０に１を出力して、３−状態バッファー６０をイネーブルさせる。
【００７１】
一方、Vccを受信する３−状態バッファー５８、６２は常にイネーブルとなり、オアゲート６４はF信号とインバータ６６によりインバーティングされたG信号を受信して、１を出力して、３−状態バッファー６８、７０に印加することによって、３−状態バッファー６８、７０をイネーブルさせる。
【００７２】
また、G信号が印加される３−状態バッファー７４、７６は、ディスイネーブルになる。
【００７３】
従って、室外機１０から入力されるデータは、信号ライン５１a、５１bを通して３−状態バッファー７０に入力され、信号ライン６１c、６１aを通して室内機１４２に出力され、室内機１４（２）から信号ライン６１aを通して入力されるデータは、信号ライン６１bを通して３−状態バッファー６８に入力され、信号ライン５１c、５１aを通して室外機１０に出力される。
【００７４】
これに、室外機１０と室内機１４（２）が接続されて、データ送受信が可能である。
【００７５】
一方、図６及び図７に図示されたインターフェース回路２６で、３−状態バッファー３５、３７、３９、４１、５６、５８、６０、６２、６８、７０、７４、７６を制御スイッチで構成することもできる。
【００７６】
図８はこのような構成により、室外機１０に接続される室内機１４が増加するほどアドレスが増加することを示す。
【００７７】
即ち、正式アドレス１２が‘０’の室外機１０に室内機１４（１）が接続された時、室内機１４（１）の正式アドレス１２を‘１’に割当て、室内機１４（２）が追加接続された時、正式アドレス１２を‘２’に割当て、室内機１４（３）が接続された時、正式アドレス１２を‘３’、…、室内機１４（N）が接続された時、正式アドレス１２を‘N’に割当てた例である。
【００７８】
一方、室内機１４間の距離が近い場合、配線１５経路を把握していない場合にもグループに区分されていることはグループ内で配線１５順が明確であるため、図９のようにグループ内で連続的に正式アドレス１２を割当てる。
【００７９】
図１０及び図１１は、本発明によるネットワークシステムがマスター−スレーブ方式である場合の正式アドレス１２割当て方法を示したフローチャートであり、図１０は室外機１０の制御フローチャートであり、図１１は室内機１４の制御フローチャートである。
【００８０】
図１０に図示されたように、室外機１０のCPU１６は、室外機１０に設けられた操作入力手段（図示せず）、或いは、リモコンからの操作入力や初期電源の印加時、EEPROM１７にルーティングテーブルが存在するかを判断する（２００）。
【００８１】
判断の結果、ルーティングテーブルが存在しない場合、室外機１０は臨時アドレスを有する室内機１４が存在するかを判断する（２０２）。臨時アドレスを有する室内機１４が存在する場合、室外機１０は室内機１４に正式アドレスを割当て（２０４）、前記過程を繰り返す。
【００８２】
一方、ルーティングテーブルが存在する場合、室外機１０はルーティングテーブルにより室内機１４との通信を確認して（２０６）、正式アドレス１２を確認する（２０８）。
室外機１０は、通信確認の結果が異常である場合、臨時アドレスを有する室内機１４が存在するかを判断する（２１０）。これは、新しく接続されて、正式アドレス１２を割当てられない室内機１４があるかを判断する過程である。
【００８３】
室外機１０は、臨時アドレスを有する室内機１４が存在する場合、その室内機１４に正式アドレス１２を割当てる（２１２）。そして、ルーティングテーブルのポインタを更新する（２１４）。そして、室外機１０は、正式アドレス１２を割当てられた室内機１４がシステムのネットワークを構成する最後の室内機１４なのかを判断して（２１６）、そうではない場合、ルーティングテーブルにより通信を確認する過程（２０６）に復帰し、最後の室内機１４の場合、正式アドレス１２割当て過程を終了する。
【００８４】
一方、室外機１０は、通信確認の結果が異常であり、臨時アドレスを有する室内機１４が存在しない場合、除去、または電源が遮断された室内機１４が存在すると判断する（２１８）。
【００８５】
そして、電源が遮断された室内機１４をチェックして（２２０）、ルーティングテーブルのポインタを更新する（２１４）。その室内機１４が最後の室内機１４の場合（２１６）、正式アドレス１２割当て過程を終了し、最後の室内機１４でない場合、ルーティングテーブルにより室内機１４との通信確認過程を繰り返す。
【００８６】
また、室外機１０はルーティングテーブルにより通信を確認した結果が正常の場合、ルーティングテーブルのポインタを更新し（２１４）、最後の室内機１４なのかを判断して（２１６）、そうではない場合ルーティングテーブルにより通信を確認する過程を繰り返す。
【００８７】
室内機１４は図１１に図示されたように、初期電源印加時、自分のアドレスが臨時アドレスなのかを判断して（３００）、臨時アドレスである場合、２個の通信接続部３０中の室外機１０と接続される通信接続部３０を調べて（３０２）、室外機１０と通信接続部３０を通して接続されるようにする（３０４）。室外機１０の正式アドレス割当て過程により、正式アドレス通知を受信すると（３０６）、室内機１４は室外機１０から転送された正式アドレス１２をEEPROM２２に貯蔵する（３０８）。そして、室内機１４は正式アドレス１２の設定が完了したことを室外機１０に通知する（３１０）。正式アドレス１２の設定が完了すると、室内機１４は、次の室内機１４と室外機１０が接続されるように通信接続部３０の接続を変更する（３１２）。
【００８８】
図１２及び図１３は、本発明によるネットワークシステムがイベント方式である場合の正式アドレス１２割当て方法を示したフローチャートであり、図１２は室内機１４の制御フローチャート、図１３は室外機１０の制御フローチャートである。
【００８９】
参考として、イベント方式のネットワークシステムは室内機１４でまず室外機１０に信号を送る場合、正式アドレス１２が割当てられる。
【００９０】
図１２に図示されたように、室内機１４のCPU２０は、初期電源印加時にEEPROM２２に貯蔵されたアドレスが臨時アドレスであるかを判断する（４００）。判断の結果、臨時アドレスである場合、正式アドレス１２設定を要求し（４０２）、室外機１０から正式アドレス１２通知を待つ（４０４）。
【００９１】
室内機１４は、室外機１０から正式アドレス１２の通知がないと（４０６）、通信接続部３０の接続状態を変更する（４０８）。即ち、室外機１０から正式アドレス１２通知がない場合は、通信接続部３０が室外機１０に接続されない場合を含む。従って、他の通信接続部３０が室外機１０に接続されるようにする。
【００９２】
反面、室内機１４は、室外機１０から正式アドレス１２通知があると（４０６）、室外機１０から転送された正式アドレス１２をEEPROMに貯蔵する（４１０）。そして、室外機１０に設定完了を通知し（４１２）、室外機１０から設定完了に対する応答を受信すると（４１４）、通信接続部３０の接続状態を変更して、次の室内機１４と室外機１０が接続されるようにする（４１６）。
【００９３】
室外機１０のCPU１６は、図１３に図示されたように、初期電源印加時にEEPROM１７にルーティングテーブルが存在するかを判断する（５００）。判断の結果、ルーティングテーブルが存在しない場合、室内機１４の正式アドレス１２設定の要求を待つ（５０２）。室内機１４の正式アドレス１２設定の要求がある場合（５０４）、室外機１０は室内機１４に正式アドレス１２を割当てるようになり（５０６）、また次の室内機１４の正式アドレス１２設定の要求を待つ。
【００９４】
一方、室外機１０のCPU１６は、ルーティングテーブルが存在すると、ルーティングテーブルにより通信を確認する（５０８）。通信確認の結果が正常でない場合（５１０）、室内機１４から正式アドレス１２設定の要求があるかを判断する（５１２）。これは、新しく接続されて、正式アドレス１２を割当てられていない室内機１４があるかを判断する過程である。
【００９５】
室内機１４から正式アドレス１２設定の要求があると、室内機１４に正式アドレス１２を割当てる（５１４）。そして、ルーティングテーブルのポインタを更新する（５１６）。
【００９６】
そして室外機１０は、正式アドレス１２を割当てられた室内機１４がシステムのネットワークを構成する最後の室内機１４かを判断して（５１８）、そうでない場合、ルーティングテーブルにより通信を確認する過程に復帰し、最後の室内機１４の場合、正式アドレス１２割当て過程を終了する。
【００９７】
一方、室外機１０は、通信確認結果が異常であり、室内機１４から正式アドレス１２設定の要求がない場合（５１０、５１２）、除去、または電源が遮断された室内機１４が存在すると判断する（５２０）。そして、電源が遮断された室内機１４をチェックして（５２２）、ルーティングテーブルのポインタを更新する（５１６）。その室内機１４が最後の室内機１４の場合（５１８）、正式アドレス１２割当て過程を終了し、最後の室内機１４でない場合、ルーティングテーブルにより室内機１４との通信確認過程を繰り返す。
【００９８】
また、室外機１０は、ルーティングテーブルにより通信を確認した結果（５１０）、正常の場合、ルーティングテーブルのポインタを更新し（５１６）、最後の室内機１４かを判断し（５１８）、そうでない場合ルーティングテーブルにより通信を確認する過程を繰り返す。
【００９９】
このように、本発明はネットワークシステムの維持、保守の便宜のため、図面上で必ず確認する配線１５経路に沿って各々の室内機１４が順次に室外機１０に接続し、室外機１０が接続される室内機１４に正式アドレス１２を順次に割当てるようにすることによって、各々の室内機１４の正式アドレス１２を配線１５経路に沿って簡単に推測することができ、室内機１４のパネルやLEDなど外部表明用の構造を別に設ける必要がないため、費用節減に効果がある。
【０１００】
本発明は詳述した実施例に限定されず、本発明の思想内で当業者による変形が可能であることは無論である。
【図面の簡単な説明】
【０１０１】
【図１】一般のビル設備監視システムの構成図である。
【図２】従来の自動で正式アドレスを設定するためのフローチャートである。
【図３】従来の重複が発生する時の正式アドレスを割当てるためのフローチャートである。
【図４】本発明によるネットワークシステムの構成図である。
【図５】本発明によるネットワークシステムで室外機と各室内機の内部構成及び室外機と各室内機の接続図である。
【図６】インターフェース回路の構成図である。
【図７】インターフェース回路の構成図である。
【図８】正式アドレスの割当て進行概略図である。
【図９】本発明により配線順序一部未確認時に自動的に正式アドレスが割当てられたネットワークシステムの構成図である。
【図１０】マスター−スレーブ方式のネットワークシステムで、正式アドレスを割当てるための室外機及び室内機各々の制御フローチャートである。
【図１１】マスター−スレーブ方式のネットワークシステムで、正式アドレスを割当てるための室外機及び室内機各々の制御フローチャートである。
【図１２】イベント方式のネットワークシステムで、正式アドレスを割当てるための室外機及び室内機各々の制御フローチャートである。
【図１３】イベント方式のネットワークシステムで、正式アドレスを割当てるための室外機及び室内機各々の制御フローチャートである。
【符号の説明】
【０１０２】
１０  室外機
１１  ディップスイッチ
１２  正式アドレス
１４  室内機
１５  配線
１９  通信接続部
１７、２２  EEPROM
１６、２０  CPU
１８、２８  制御ロジック回路
２４  LCD、ＬＥＤ
２６  インターフェース回路
３０  通信接続部
３２  リレー
３２a、 ３２b   接点
３５、３７，３９，４１、５６、６０，５８，６２，７４，７６、６８、７０  ３−状態バッファー
３３a，３３c，３３g，３３f，３３e，５１a，５１b  信号ライン
４５  バッファー
５０、５４  オアゲート
４３、５２、６６  インバータ
【図１】
2006109487.tif 000003
【図２】
2006109487.tif 000004
【図３】
2006109487.tif 000005
【図４】
2006109487.tif 000006
【図５】
2006109487.tif 000007
【図６】
2006109487.tif 000008
【図７】
2006109487.tif 000009
【図８】
2006109487.tif 000010
【図９】
2006109487.tif 000011
【図１０】
2006109487.tif 000012
【図１１】
2006109487.tif 000013
【図１２】
2006109487.tif 000014
【図１３】
2006109487.tif 000015